(57)【特許請求の範囲】
【請求項１】
鋼管をクランプするためのチェーンを備えたバイスにおいて、
鋼管と接する本体の底面を、鋼管の軸線方向及び鋼管の軸線方向と垂直方向に４分割されたＶ型の凹状座面とし、これらの４つの凹状座面のうち対角位置となる凹状座面に、本体を鋼管に吸着固定するための永久磁石を固着したことを特徴とするバイス。
【請求項２】
前記永久磁石が平板状のネオジウム磁石であることを特徴とする請求項１に記載のバイス。
【発明の詳細な説明】
【技術分野】
【０００１】
本発明は、加工対象となる鋼管にチェーンにより固定され、セーバーソーなどの工具を保持させるためのバイスに関するものである。
【背景技術】
【０００２】
例えば既設の水道用鋼管の撤去作業を行うような場合には、セーバーソー等の電動式切断機により鋼管を切断する必要がある。この作業は道路に掘られたピットの内部で行われることが多いが、足場が悪く作業空間が狭小であることもあって、作業員がセーバーソーを手で持って切断しようとしても切断方向が安定せず、鋼管の軸線に対して垂直に切断することは容易ではない。特に鋼管径が大きくなるとその困難性が増加する。
【０００３】
そこで従来から、特許文献１に示されるように、チェーンを備えたバイスが用いられている。このバイスは、鋼管の外周に巻き付けたチェーンの先端をチェーン牽引用ねじを回転させて牽引することにより鋼管に固定したうえ、バイスに支持させたセーバーソーで鋼管を切断するものである。
【０００４】
このようなバイスは、チェーンを利用して本体を鋼管に確実に固定することによりセーバーソーを安定させて鋼管の切断を容易にするものである。しかし、バイスはある程度重量があり、片手で支持しながら他方の片手でチェーンを鋼管の外周に巻き付け、チェーンの先端をフックに係止させる作業は容易ではないという問題があった。このためバイスの取り付けに時間を必要としたり、途中でバイスを落下させたりすることがあった。
【先行技術文献】
【特許文献】
【０００５】
【特許文献１】特開平１０−５８２２７号公報
【発明の概要】
【発明が解決しようとする課題】
【０００６】
従って本発明の目的は前記した従来の問題点を解決し、足場の悪い狭小空間においても、簡単かつ確実にチェーンにより加工対象となる鋼管に固定することができるバイスを提供することである。
【課題を解決するための手段】
【０００７】
上記の課題を解決するためになされた本発明のバイスは、鋼管をクランプするためのチェーンを備えたバイスにおいて、鋼管と接する本体の底面を、鋼管の軸線方向及び鋼管の軸線方向と垂直方向に４分割されたＶ型の凹状座面とし、これらの４つの凹状座面のうち対角位置となる凹状座面に、本体を鋼管に吸着固定するための永久磁石を固着したことを特徴とするものである。
【０００８】
なお請求項２に記載のように、永久磁石が板状のネオジウム磁石であることが好ましい。
【発明の効果】
【０００９】
本発明に係るバイスは、本体の底面をＶ型の凹状座面とし、該凹状座面に本体を鋼管に吸着固定するための永久磁石を固着した構造であるから、鋼管にチェーンを巻き付ける前に本体を鋼管に吸着保持させることができる。このため簡単かつ確実にチェーンを対象となる鋼管に巻き付けることができる。またチェーンの巻き付け途中で本体が鋼管から落下する危険もない。また、鋼管と接する本体の底面を、鋼管の軸線方向及び鋼管の軸線方向と垂直方向に４分割されたＶ型の凹状座面とし、これらの４つの凹状座面のうち対角位置となる凹状座面に、本体を鋼管に吸着固定するための永久磁石を固着したので、本体が鋼管の軸線方向に浮き上がることと、軸線に対し垂直方向に浮き上がることとを、防止することができる。
【００１０】
なお、請求項２に記載するようにネオジウム磁石を用いれば、本体及び他部品の重量を小型の永久磁石により支えることができる。
【図面の簡単な説明】
【００１１】
【図１】本発明に係るバイスの使用状態を示す正面図である。
【図２】本発明に係るバイスの使用状態を示す平面図である。
【図３】バイスの拡大正面図である。
【図４】バイスの平面図である。
【図５】本体の凹状座面を示すバイス底面図である。
【発明を実施するための形態】
【００１２】
以下に本発明の好ましい実施形態を示す。
図１と図２は本発明のバイスの使用状態を示す図であり、１はバイスの本体、２は本体１に設けられたチェーン部分、３は本体１に装着されたセーバーソーである。またＰは切断対象となる鋼管であり、代表的には水道用鋼管であるが、必ずしもこれに限定されるものではない。
【００１３】
図３、図４に示されるように、本体１は鋼管Ｐの外周面と接する底面がＶ型の凹状座面４となっている。その開き角度は鋼管Ｐの径によるが１００°〜１５０°程度が好ましく、この実施形態では１２０°である。本体１の中央部にはチェーン部分２のための空洞部が形成されているため、凹状座面４は鋼管Ｐの軸線方向に２分割されている。
【００１４】
本発明のバイスは、チェーン５と、チェーン牽引用ねじ６とを備えている。チェーン牽引用ねじ６は本体１の頭部に鋼管Ｐの軸線方向に設けられた横軸７を貫通しており、横軸７の貫通孔の内面のめねじ８と螺合している。またチェーン牽引用ねじ６の外側端部には、ハンドル９が軸１０によって取り付けられている。チェーン牽引用ねじ６の内側端部には環状溝１１が形成され、図４に示されるような略コの字状の金具１２が嵌っている。そしてこの金具１２の他端には、チェーン５の基端がピン１３により連結されている。このためハンドル９によりチェーン牽引用ねじ６を回転させれば、チェーン牽引用ねじ６は本体１の頭部の横軸７に対して進退動することとなり、金具１２を介してチェーン５の基端を進退させることができる。
【００１５】
また本体１の片側にはチェーン５のピン１５を係止させるためのフック１４が突設されている。フック１４はチェーン５を挟むように突設された左右一対のものであり、チェーン５のピン１５を引掛けて確実に保持させることが可能である。なおチェーン５は両側にピン１５を大きく突出させたものであり、任意の位置で本体１のフック１４に係止できるようになっているが、この点は従来のバイスと同様である。このためチェーン５を図示のように鋼管Ｐの外周に巻き付け、たるみの少ない位置で先端側のピン１５をフック１４に係止させたうえ、チェーン牽引用ねじ６を回転させて引き締めれば、本体１は鋼管Ｐに強固に固定されることとなる。
【００１６】
上記のように本体１のＶ型の凹状座面４は鋼管Ｐの軸線方向に２分割されている。また凹状座面４はＶ型であるから、図５に示すように鋼管Ｐの軸線方向と垂直方向にも２分され、全体としては４つの部分に分割されている。本発明ではこの凹状座面４に、本体１を鋼管Ｐに吸着固定させることができる強力な永久磁石１６を固着してある。
【００１７】
この永久磁石１６としては、小型で強力なネオジオム磁石が適している。図５に示すように、この実施形態では表面がクロムメッキされた平板状のネオジオム磁石が、凹状座面４の対角位置にそれぞれ配置されてネジ１９で固定されている。このような配置を採用すれば、本体１を鋼管Ｐに載せたとき永久磁石１６が凹状座面４の対角の２か所で鋼管Ｐに吸着することとなり、鋼管Ｐの軸線方向の浮き上がりと軸線に対して垂直方向の浮き上がりとを、２個の永久磁石１６によって防止することが可能となる。このため４個の永久磁石１６を使用するよりもコストダウンが可能となる。
【００１８】
なお、本体１の側面には鋼管Ｐの軸線と平行に延びる保持軸１７が突設されている。また図２に示されるように、セーバーソー３の本体先端部分には貫通孔１８が形成されている。このためセーバーソー３の貫通孔１８を本体１の側面の保持軸１７に差し込めば、セーバーソー３は本体１に対して搖動可能に保持されることとなる。なおセーバーソー３は先端に鋸刃２０を備えた電動鋸である。しかし、バイスに取付けられる工具の種類は必ずしもセーバーソーに限定されるものではない。
【００１９】
このように構成された本発明のバイスとセーバーソーにより鋼管Ｐを切断する場合には、まず本体１の凹状座面４を鋼管Ｐの外周に載せ、永久磁石１６により本体１を鋼管Ｐに吸着保持させる。凹状座面４はＶ型であるから、本体１は鋼管Ｐに対して角度がずれることなく位置決めされる。この状態でチェーン５を鋼管Ｐの外周に巻き付け、その先端部分をフック１４に係止させたうえ、チェーン牽引用ねじ６を回転させて引き締め、本体１を鋼管Ｐに強固に固定する。
【００２０】
このように本体１は永久磁石１６により鋼管Ｐに吸着保持させることができるから、従来のように片手で本体１を保持しながらチェーン５を鋼管Ｐの外周に巻き付ける必要はない。従って簡単に作業することができ、また途中で本体１を落下させたりする危険もない。
【００２１】
次にセーバーソー３を本体１の保持軸１７に装着し、保持軸１７を中心として回転させながら鋼管Ｐを切断する。セーバーソー３は鋼管Ｐの軸線と平行に延びる保持軸１７の回りに回転しながら切断するので、鋼管Ｐをその軸線に対して垂直な平面でに正確に切断することができる。
【００２２】
以上に説明したように、本発明のバイスは簡単かつ確実に加工対象となる鋼管に固定することができ、例えば鋼管をその軸線に対して垂直に切断することができるものであるから、ピットの内部のような足場の悪い狭小空間において使用するに適している。このほか本発明のバイスは、高所作業のような工具の落下による危険を避ける必要がある作業にも適したものである。
【符号の説明】
【００２３】
Ｐ  鋼管
１  本体
２  チェーン部分
３  セーバーソー
４  凹状座面
５  チェーン
６  チェーン牽引用ねじ
７  横軸
８  めねじ
９  ハンドル
１０  軸
１１  環状溝
１２  金具
１３  ピン
１４  フック
１５  ピン
１６  永久磁石
１７  保持軸
１８  貫通孔
１９  ネジ
２０  鋸刃
【図１】
0005732649.tif 000002
【図２】
0005732649.tif 000003
【図３】
0005732649.tif 000004
【図４】
0005732649.tif 000005
【図５】
0005732649.tif 000006